(57)【要約】【課題】長期間の使用によっても、損傷、劣化することが無いとともに掃除の手間を省くことができ、更にシートに貼り付けている写真、絵画等を紫外線から守ることが可能な印刷物表面の剥離用シートを提供する。【解決手段】透明体３と透明体３の裏面に形成した接着層４と接着層４に剥離自在に貼着された剥離紙５を備え透明体３の表面には光触媒層６を形成した、印刷物表面に貼着される剥離用シート本体２と、剥がし部材本体８と剥がし部材本体８の表面に形成した接着層９と接着層９に剥離自在に貼着した剥離紙１０を備えた、剥離用シート本体２が貼着された印刷物の裏面側を剥がし取る剥がし部材７と、仕上げ部材本体１２と仕上げ部材本体１２の表面に形成された接着層１３と接着層１３に剥離自在に貼着された剥離紙１４を備えた、裏面側を剥がし取った印刷物の裏面に貼り付けられる仕上げ部材１１を具備した。【選択図】図２
0003180218.tif 000002
【実用新案登録請求の範囲】
【請求項１】
印刷物の表面を剥離するための印刷物表面の剥離用シートであって、
印刷物の表面に貼り付けられる剥離用シート本体（２）と、
該剥離用シート本体（２）が表面に貼り付けられた印刷物の裏面側を剥がし取るための剥がし部材（７）と、を具備し
前記剥離用シート本体（２）は、
透明体（３）と、該透明体（３）の裏面に形成した接着層（４）と、該接着層（４）に剥離自在に貼着された剥離紙（５）と、を備えるとともに、前記透明体（３）の表面に、光触媒を含んだ光触媒コーティング材を備えることで光触媒層（６）を形成し、
前記剥がし部材（７）は、
剥がし部材本体（８）と、該剥がし部材本体（８）の表面に形成した接着層（９）と、該接着層（９）に剥離自在に貼着した剥離紙（１０）と、を備えたことを特徴とする印刷物表面の剥離用シート。
【請求項２】
印刷物の表面を剥離するための印刷物表面の剥離用シートであって、
印刷物の表面に貼り付けられる剥離用シート本体（２）と、
該剥離用シート本体（２）が表面に貼り付けられた印刷物の裏面側を剥がし取るための剥がし部材（７）と、
前記剥離用シート本体（２）が表面に貼り付けられるとともに前記剥がし部材（７）によって裏面側を剥がし取った印刷物の裏面に貼り付けられる仕上げ部材（１１）と、を具備し、
前記剥離用シート本体（２）は、
透明体（３）と、該透明体（３）の裏面に形成した接着層（４）と、該接着層（４）に剥離自在に貼着された剥離紙（５）と、を備えるとともに、前記透明体（３）の表面に、光触媒を含んだ光触媒コーティング材を備えることで光触媒層（６）を形成し、
前記剥がし部材（７）は、
剥がし部材本体（８）と、該剥がし部材本体（８）の表面に形成した接着層（９）と、該接着層（９）に剥離自在に貼着した剥離紙（１０）と、を備え、
前記仕上げ部材（１１）は、
仕上げ部材本体（１２）と、該仕上げ部材本体（１２）の表面に形成された接着層（１３）と、該接着層（１３）に剥離自在に貼着された剥離紙（１４）と、を備えたことを特徴とする印刷物表面の剥離用シート。
【請求項３】
前記光触媒コーティング材として、ＵＶカット剤が配合されている光触媒コーティング材を用いたことを特徴とする請求項１又は請求項２に記載の印刷物表面の剥離用シート。
【考案の詳細な説明】
【技術分野】
【０００１】
本考案は、新聞、雑誌等の印刷物の表面に印刷された写真、絵画等を剥離するための印刷物表面の剥離用シートに係り、より詳しくは、長期間の経過によっても汚れることが無いとともに、剥離した写真、絵画等が紫外線により劣化することを防止可能な印刷物表面の剥離用シートに関する。
【背景技術】
【０００２】
従来から、個人的な趣味において、新聞、雑誌等に掲載されている写真、絵画等を切りとって、これを所望する箇所に貼り付け、あるいは係止し、又は下敷き等に挟み込むことが行われており、例えば好みの芸能人等の写真を切りとって保存しておくことは学生等の間では頻繁に行なわれている。
【０００３】
しかしながら、単に新聞、雑誌等に掲載されている写真、絵画等を切り取って所望する箇所に貼り付け、あるいは係止し、又は下敷き等に挟み込むのみでは、時間の経過によってこれらの写真、絵画等が損傷、劣化していってしまうという問題点が考えられる。
【０００４】
この点、これらの切り取った写真、絵画等を額に額装することで、汚れ、劣化等を防止することは可能であるが、特に雑誌、新聞等から切り取った写真、絵画等は薄いものであるために、これを額装した場合には、水分等の影響で皺、よれが生じてしまうおそれがある。
【０００５】
また、新聞、雑誌等に掲載されている写真、絵画等を単に切り取ったのみでは、裏面に写真、文字等が印刷されている場合には、これらの写真、文字等が表面に裏写りしてしまい見栄えが悪いという問題点がある。
【０００６】
そのために、過去においては、新聞、雑誌等から切り取った写真、絵画等をシートに貼り付け、これによって、単に新聞、雑誌等に掲載されている写真、絵画等を切り取ったのみ場合の問題点を解決する方法が提案されている（特開昭６２−２３６７９９号公報参照）。
【０００７】
即ち、この方法では、印刷物の表面に透明な第１シートを貼り付ける一方、印刷物の裏面に第２シートを貼り付けて、その後に第１シートと第２シートを互いに引き離すことで、第１シートに印刷物の表面を残留させることを特徴としている。
【０００８】
そのために、この方法によれば、新聞、雑誌等に掲載されている好みの写真、絵画等を切りとった後に、この切り取った写真、絵画等の表面にシートを貼り付けることが可能となり、新聞、雑誌等から切り取った写真、絵画等が時間の経過によって損傷、劣化していってしまうという問題点が解決でき、また、剥がし取った新聞、雑誌等に掲載された写真、絵画等を額装した場合には、皺、よれが生じることを防止することができ、更に、裏面に印刷されている写真、文字等が裏写りしてしまうことも防止可能である。
【先行技術文献】
【特許文献】
【０００９】
【特許文献１】特開昭６２−２３６７９９号公報
【考案の概要】
【考案が解決しようとする課題】
【００１０】
しかしながら、写真、絵画等の表面にシートを貼り付けた場合でも、長期間経過すると、室内に浮遊している汚れ等によってシート表面が汚れてしまう。特に、写真、絵画等を室内装飾の一環として飾っている場合において、シート表面が汚れてしまうとシートを貼り付けている写真、絵画等の装飾効果が落ちてしまうために掃除が必要であるが、手が届かない場所に飾っている場合などは、掃除が大変になってしまう。
【００１１】
また、シートの表面に花粉等の汚れが付着した場合には、それに起因して花粉症やアトピー性皮膚炎の症状が出るおそれが考えられるが、前述の方法により写真、絵画等の表面に貼り付けたシートでは、このような問題点を解決することは不可能である。
【００１２】
更に、前述の方法でシートを表面に貼り付けた写真、絵画等では、長期間の経過によると、紫外線によって劣化してしまうという問題点も指摘できる。
【００１３】
そこで、本考案は、長期間の使用によっても、損傷、劣化することが無いとともに、掃除の手間を省くことができ、更にシートを貼り付けている写真、絵画等を紫外線から守ることが可能な印刷物表面の剥離用シートを提供することを課題としている。
【課題を解決するための手段】
【００１４】
本考案の印刷物表面の剥離用シートは、
印刷物の表面を剥離するための印刷物表面の剥離用シートであって、
印刷物の表面に貼り付けられる剥離用シート本体と、
該剥離用シート本体が表面に貼り付けられた印刷物の裏面側を剥がし取るための剥がし部材と、を具備し
前記剥離用シート本体は、
透明体と、該透明体の裏面に形成した接着層と、該接着層に剥離自在に貼着された剥離紙と、を備えるとともに、前記透明体の表面に、光触媒を含んだ光触媒コーティング材を備えることで光触媒層を形成し、
前記剥がし部材は、
剥がし部材本体と、該剥がし部材本体の表面に形成した接着層と、該接着層に剥離自在に貼着した剥離紙と、を備えたことを特徴としている。
【考案の効果】
【００１５】
本考案は、印刷物の表面に貼り付けられる剥離用シート本体と、この剥離用シート本体が表面に貼り付けられた印刷物の裏面側を剥がし取るための剥がし部材とを有して、新聞、雑誌等から切り取った写真、絵画等の表面にシートを貼り付けるために用いられる印刷物表面の剥離用シートにおいて、剥離用シート本体の表面に光触媒層を形成したことを特徴としている。
【００１６】
周知の通り、一般的に光触媒として用いられている酸化チタンは、紫外線を吸収することで強力な酸化力を帯び、接触してきた汚れ、細菌等を分解する作用を有する。そのために、剥離用シート本体の表面に光触媒層を備えた本考案の印刷物表面の剥離用シートでは、剥離用シート本体の表面に室内に浮遊する埃や有害物質等が付着した場合には、この付着した埃や有害物質等を分解することができ、長期間の使用によっても、剥離用シート本体の汚れを防止することで、掃除の手間を省くことができる。
【００１７】
また、前述のように、一般的に光触媒として用いられている酸化チタンは、紫外線を吸収することで汚れ等を除去するために、この光触媒を透明体の表面に塗布した場合には、透明体に照射された紫外線は酸化チタンに吸収され、それにより、透明体が貼り付けられている写真、絵画等を紫外線から守ることができる。
【図面の簡単な説明】
【００１８】
【図１】本考案の印刷物表面の剥離用シートの実施例の分解図である。
【図２】本考案の印刷物表面の剥離用シートの実施例の構成を説明するための図である。
【図３】本考案の印刷物表面の剥離用シートの実施例の使用方法を説明するための図である。
【図４】本考案の印刷物表面の剥離用シートの実施例の使用方法を説明するための図である。
【図５】本考案の印刷物表面の剥離用シートの実施例の使用方法を説明するための図である。
【考案を実施するための形態】
【００１９】
本考案の印刷物表面の剥離用シートは、印刷物の表面に貼り付けられる剥離用シート本体と、この剥離用シート本体が表面に貼り付けられた印刷物の裏面側を剥がし取るための剥がし部材とを具備している。
【００２０】
そして、剥離用シート本体は、透明体と、この透明体の裏面に形成した接着層と、この接着層に剥離自在に貼着された剥離紙を備えている。
【００２１】
また、透明体の表面には、光触媒を含んだ光触媒コーティング材を備えることで、光触媒層を形成している。
【００２２】
一方、前記剥がし部材は、剥がし部材本体と、この剥がし部材本体の表面に形成した接着層と、接着層に剥離自在に貼着した剥離紙を備えている。
【００２３】
ここで、剥離用シート本体が表面に貼り付けられるとともに剥がし部材によって裏面側を剥がし取った印刷物の裏面に貼り付けられる仕上げ部材を具備するとよく、これにより、写真、絵画等の鮮明さを維持することが可能となる。
【００２４】
また、透明体の表面に備えられる光触媒コーティング材としては、ＵＶカット剤が配合されている光触媒コーティング材を用いるとよく、これにより、紫外線をより確実に遮断することが可能である。
【実施例１】
【００２５】
本考案の印刷物表面の剥離用シート（以下単に「剥離用シート」という。）の実施例について図面を参照して説明すると、図１は、本実施例の剥離用シートの分解図であり、図において１が、本実施例の剥離用シートである。そして、本実施例の剥離用シートは、剥離用シート本体と、剥がし部材と、仕上げ部材とで構成されている。
【００２６】
即ち、図において２が剥離用シート本体であり、本実施例においてこの剥離用シート本体２は、印刷物の表面に貼り付けられ、印刷物の表面を剥離するために用いられる。
【００２７】
ここで、前記剥離用シート本体２について説明すると、図２（ａ）は前記剥離用シート本体２の構造を示す断面図であり、図において前記剥離用シート２は、所定の大きさとした透明体３を有しており、この透明体３はアクリル製の透明なシートとしている。そして、この透明体２の大きさとしては、特に限定はされずいずれのサイズでもよいが、例えば、Ｂ５版サイズ（１８２ｍｍ×２５７ｍｍ）、Ａ５版サイズ（２１０ｍｍ×２９７ｍｍ）、Ｂ４版サイズ（２５７ｍｍ×３６４ｍｍ）、あるいは、各種カードサイズ等が考えられる。
【００２８】
次に、図２（ａ）において４は接着層、５は剥離紙である。即ち、前記透明体３の裏面には接着層４が形成されており、更に、この接着層４には、剥離紙５が、剥離自在に貼着されている。そして、使用に際しては、剥離紙５を剥がして接着層４を露出させた後に、この露出させた接着層４を、印刷物の表面に貼り付けることで、剥離用シート本体２を印刷物の表面に貼り付けることとしている。
【００２９】
次に、図において６は光触媒層である。即ち、本実施例の剥離用シート１では、前記透明体３の表面に光触媒層６を備えており、これにより、透明体の劣化、汚れを防止するとともに、更に、透明体３を貼り付けた写真、絵画等を紫外線から守ることを可能としている。
【００３０】
ここで、この光触媒層６について説明すると、本実施例の剥離用シート１においては、光触媒としての酸化チタンを樹脂に分散させることで構成された光触媒コーティング材を、前記透明体３の表面に塗布することで、透明体３の表面に光触媒層６を形成し、これにより、光触媒によって、透明体３に付着した汚れ等を分解して除去可能としている。
【００３１】
即ち、周知のように、酸化チタンに代表される光触媒は、紫外線を吸収することで強力な酸化力を帯び、接触してきた埃、細菌等を分解する作用を有するために、本実施例における剥離用シート１では、透明体３の表面に付着した埃、細菌等を分解して除去することができ、長期間の使用によっても、剥離用シート１が汚れてしまうことにより、透明体３が貼り付けられている写真、絵画等の装飾効果が落ちることを防止可能である。
【００３２】
また、本実施例において前記光触媒コーティング材は、樹脂に酸化チタンを分散させて構成されるとともに、樹脂にＵＶカット剤を配合して構成している。従って本実施例の剥離用シート１では、これにより、透明体３に紫外線が照射された場合でも、透明体３が貼り付けられている写真、絵画等をこの紫外線から守ることができ、長期間経過した場合でも、写真、絵画等の劣化を確実に防止することを可能としている。
【００３３】
即ち、前述したように酸化チタンは紫外線を吸収することで強力な酸化力を帯びて汚れや細菌等を分解除去するために、この酸化チタンの存在によって透明体３に照射されてきた紫外線をカットすることが可能であるが、その場合でも光触媒に吸収されずに写真、絵画等に照射されてしまう紫外線は決して少なくなく、そのために、単に酸化チタンのみを樹脂に分散させた光触媒コーティング材を用いて透明体に光触媒層を形成した場合には、写真、絵画等の劣化を確実に防止することが困難である。
【００３４】
そこで、本実施例における光触媒コーティング材では、樹脂に酸化チタンを分散させるとともにＵＶカット剤を配合し、これにより、ＵＶカット剤の存在によって、透明体３に照射されてきた紫外線を確実にカットして写真、絵画等を守ることを可能としている。
【００３５】
なお、光触媒コーティング材を構成する光触媒は、単に酸化チタンのみを用いてもよいが、その他、近年提供されている、アパタイト結晶中に酸化チタンを導入した光触媒を用いてもよく、これによれば、透明体３の表面に付着した汚れや細菌等を確実に分解除去することが可能となる。
【００３６】
また、バインダーとして用いる樹脂に関しては、特に限定されるものではないが、フッ素系樹脂を用いてもよく、これによれば、透明体３の表面を親水性にして汚れ等をより効果的に分解除去することが可能となる。
【００３７】
次に、前記剥がし部材について説明すると、図１において７が剥がし部材であり、本実施例において前記剥がし部材７は、前記剥離用シート本体２が貼り付けられた印刷物の裏面側を剥がし取るために用いられる。
【００３８】
ここで、前記剥がし部材７２について説明すると、図２（ｂ）が前記剥がし部材７の構造を示す断面図であり、図において前記剥がし部材７は、前記透明体３とほぼ同じ形状寸法とした剥がし部材本体８を有しており、この剥がし部材本体８の表面には接着層９が形成され、更に、接着層９には、剥離自在に、剥離紙１０が貼着されている。
【００３９】
そして、使用に際しては、剥離紙１０を接着層９から剥離して接着層９を露出させ、この露出させた接着層９を、前記剥離用シート本体２が表面に貼り付けられた印刷物の裏面に貼り付けて、その後に、印刷物の裏面に貼り付けた剥がし部材７を印刷物から剥がし取る。
【００４０】
そうすると、剥がし部材７とともに、前記剥離用シート本体２が貼り付けられた印刷物の裏面側を剥がすことができ、これにより、印刷物の裏面に印刷された文字、写真等が印刷物の表面の写真、絵画等に浮き出てしまうことを防止することが可能である。
【００４１】
即ち、新聞、雑誌等の印刷物に掲載された写真、絵画等の表面に透明体３を貼り付けた場合には、何ら手当てをしない場合には、写真、絵画等が掲載されているページの裏面のページに掲載されている記事等がそのまま透明体３の裏面に残ってしまい、特に印刷物が薄い場合などは、この記事等が、写真、絵画等が掲載されている印刷物表面に浮き出てしまうことがある。そこで、本実施例の剥離用シート１では、前記透明体３を写真、絵画等の表面に貼りつけた後にこれらの写真、絵画等の裏面に掲載されている記事等の部分を剥がしとるための剥がし部材７を備え、これにより、印刷物の裏面に掲載されている記事等が表面に浮き出てしまうことを防止している。
【００４２】
但し、例えば、裏面のページに何らの印刷等も施されていない印刷物を透明体３に貼りつける場合には不用であるため、この剥がし部材７は必ずしも必要なものではなく、これを備えない構成としてもよい。
【００４３】
次に、前記仕上げ部材について説明すると、図１において１１が仕上げ部材であり、本実施例において前記仕上げ部材７は、前記剥がし部材７によって裏面側を剥がし取った写真、絵画等の裏面に貼着するために用いられる。
【００４４】
即ち、前記剥がし部材７によって裏面側を剥がし取った後には、写真、絵画等はその厚みが極めて薄くなってしまうために、何らの手当てをしない場合には、写真、絵画等の鮮明さが影響を受けてしまうことが考えられる。そこで、本考案では、このような問題を解決するために、仕上げ部材１１を備え、この仕上げ部材１１を、裏面側を剥がし取った写真、絵画等の裏面に貼り付けることにより、写真、絵画等の鮮明さを維持することを可能としている。従って、この仕上げ部材１１としては、例えば白色等の、写真、絵画等が映える色にするとよく、その厚みも薄いものにするとよい。
【００４５】
ここで、前記仕上げ部材１１について説明すると、図２（ｃ）が前記仕上げ部材１１の構造を示す断面図であり、図において前記仕上げ部材１１は、前記透明体３や剥がし部材７とほぼ同じ形状寸法とした仕上げ部材本体１２を有しており、この仕上げ部材本体１２の表面には接着層１３が形成され、更に、接着層１３には、剥離自在に、剥離紙１４が貼着されている。
【００４６】
そして、使用に際しては、剥離紙１４を接着層１３から剥離して接着層１３を露出させ、この露出させた接着層１３を、前記剥がし部材７によって裏面側を剥がし取った写真、絵画等の裏面に貼り付ける。
【００４７】
但し、仕上げ部材１１は必ずしも必要なものでは無く、仕上げ部材１１を貼り付け無い場合でも写真、絵画等の鮮明さを維持することが可能であれば、仕上げ部材１１を貼り付ける必要は無い。
【００４８】
次に、このように構成される本実施例の剥離用シート１の使用方法について図３、図４及び図５を参照して説明すると、本実施例の剥離用シート１を用いて、新聞、雑誌等から切り取った写真、絵画等の印刷物の表面を剥離する場合には、まず、図３に示すように、剥離用シート本体２について、剥離紙５を剥離して接着層４を露出させながら、新聞、雑誌等から切り取った写真、絵画等１５の表面に、透明体３を貼り付けていく。
【００４９】
そして次に、図４に示すように、剥がし部材７の剥離紙１０を剥離して剥がし部材７の接着層９を露出させた後に、この接着層９を介して、前記透明体３を貼り付けた写真、絵画等１５の裏面に剥がし部材７を重ね合わせて貼着し、その後に、この剥がし部材７を剥がし取る。
【００５０】
そうすると、写真、絵画等１５の印刷物１５の裏面側１５ｂを剥がし取ることができ、これにより、写真、絵画等１５の印刷物の表面側１５ａのみが透明体３に貼着された状態にすることができる。即ち、写真、絵画等が掲載された印刷物１５を、透明体３が貼り付けられた表面側１５ａと、剥がし部材７が貼り付けられた裏面側１５ｂに分離し、それによって、印刷物１５から表面を剥離する。
【００５１】
次に、図５において、仕上げ部材１１の剥離紙１４を剥離して接着層１３を露出させた後に、この接着層１３を介して仕上げ部材１１を、前記剥がし部材７によって裏面側１５ｂを剥がし取ることで残った印刷物１５の表面側１５ａの裏面に貼り付ける。
【００５２】
そうすると、新聞や雑誌に掲載されていた好みの写真、絵画等を切り取った後に、この切り取った写真、絵画等を透明体３と仕上げ部材１１によって保護することができ、写真、絵画等の損傷、劣化を防止できる。
【００５３】
また、本実施例の剥離用シートでは、透明体３の表面には光触媒層６が形成されているために、光触媒の作用によって、透明体に付着した埃、汚れ等を除去して透明体の汚れを防止することで、掃除の手間を省くことができるとともに、紫外線をカットして写真、絵画等を紫外線から守ることが可能である。
【００５４】
このように、本実施例の剥離用シートによれば、長期間の使用によっても、損傷、劣化することが無いとともに、掃除の手間を省くことができ、更に紫外線による悪影響を受けることも無い写真、絵画等を得ることが可能である。
【産業上の利用可能性】
【００５５】
本考案の印刷物表面の剥離用シートは、印刷物の表面に貼り付ける透明体の表面に光触媒層を備え、透明体に付着した汚れや埃を除去するとともに紫外線から写真、絵画等を守ることを可能にしているために、写真、絵画等が掲載されている印刷物表面を剥離するためのシートの全般に適用可能である。
【符号の説明】
【００５６】
１    印刷物表面の剥離用シート
２    剥離用シート本体
３    透明体
４    接着層
５    剥離紙
６    光触媒層
７    剥がし部材
８    剥がし部材本体
９    接着層
１０    剥離紙
１１    仕上げ部材
１２    仕上げ部材本体
１３    接着層
１４    剥離紙
１５    印刷物
１５ａ    印刷物の表面側
１５ｂ    印刷物の裏面側
【図１】
0003180218.tif 000003
【図２】
0003180218.tif 000004
【図３】
0003180218.tif 000005
【図４】
0003180218.tif 000006
【図５】
0003180218.tif 000007